(57)【要約】【課題】被写体の画像情報を記録する記録媒体の空き容量が不足している状態で次の撮影を行うためのシャッタを撮影者が押してしまうことを可及的に防止し、撮影者が貴重なシャッタチャンスを逃してしまうことを低減できるようにする。【解決手段】被写体を撮影して生成したデジタル画像データをコンパクトフラッシュ（Ｒ）８に記憶した後、コンパクトフラッシュ（Ｒ）８の空き容量が予め決められた値以下であると判定された場合に、コンパクトフラッシュ（Ｒ）８の空き容量が不足していることを連想させるコンパクトフラッシュ（Ｒ）残量不足報知音を鳴らすようにすることにより、コンパクトフラッシュ（Ｒ）８の空き容量がなくなった時点で撮影者にそのことを認識させるようにして、撮影者が次のシャッタチャンスを逃してしまうことを可及的に低減させるようにする。【選択図】　　　図１
2004056657.tif 000002
【特許請求の範囲】
【請求項１】
撮影者によって指定された撮影条件に従って被写体を撮影して画像情報を生成するとともに、前記画像情報を記録媒体に記録することが可能な撮影装置であって、
前記画像情報を記録するのに必要な空き容量が前記記録媒体にない場合には、前記撮影が終了したときに、所定の音情報を出力するようにしたことを特徴とする撮影装置。
【請求項２】
撮影者によって指定された撮影条件に従って被写体を撮影して画像情報を生成するとともに、前記画像情報を記録媒体に記録することが可能な撮影装置であって、
前記記録媒体に前記画像情報を記録する動作が終了した後に、次の画像情報を記録するのに十分な空き容量が前記記録媒体にあるか否か判定する記録媒体空き容量判定手段と、
前記記録媒体空き容量判定手段により、次の画像情報を記録するのに十分な空き容量が前記記録媒体にないと判定された場合には、前記記録媒体の空き容量が不足していることを所定の音情報により報知する音情報報知手段とを有することを特徴とする撮影装置。
【請求項３】
前記所定の音情報は、前記記録媒体の空き容量が不足していることを認識させる音情報であることを特徴とする請求項２に記載の撮影装置。
【請求項４】
前記所定の音情報は、銀塩カメラのフィルムを巻き戻すときの音を連想させる擬似フィルム巻き戻し音であることを特徴とする請求項３に記載の撮影装置。
【請求項５】
前記所定の音情報は、終了を連想させる音楽であることを特徴とする請求項３に記載の撮影装置。
【請求項６】
撮影者によって指定された撮影条件に従って被写体を撮影して画像情報を生成するとともに、前記画像情報を記録媒体に記録することが可能な撮影装置により被写体を撮影する撮影方法であって、
前記画像情報を記録するのに必要な空き容量が前記記録媒体にない場合には、前記撮影が終了したときに、所定の音情報を出力するようにしたことを特徴とする撮影方法。
【請求項７】
撮影者によって指定された撮影条件に従って被写体を撮影して画像情報を生成するとともに、前記画像情報を記録媒体に記録することが可能な撮影装置により被写体を撮影する撮影方法であって、
前記記録媒体に前記画像情報が記録された後に、次の画像情報を記録するのに十分な空き容量が前記記録媒体にあるか否かを判定し、十分な空き容量がなければ、前記記録媒体の空き容量が不足していることを所定の音情報により報知することを特徴とする撮影方法。
【請求項８】
前記所定の音情報は、前記記録媒体の空き容量が不足していることを認識させる音情報であることを特徴とする請求項７に記載の撮影方法。
【請求項９】
前記所定の音情報は、銀塩カメラのフィルムを巻き戻すときの音を連想させる擬似フィルム巻き戻し音であることを特徴とする請求項８に記載の撮影方法。
【請求項１０】
前記所定の音情報は、終了を連想させる音楽であることを特徴とする請求項８に記載の撮影方法。
【請求項１１】
撮影者によって指定された撮影条件に従って被写体を撮影して画像情報を生成するとともに、前記画像情報を記録媒体に記録するに際して、
前記画像情報を記録するのに必要な空き容量が前記記録媒体にない場合には、前記撮影が終了したときに、所定の音情報を出力することをコンピュータに実行させることを特徴とするコンピュータプログラム。
【請求項１２】
撮影者によって指定された撮影条件に従って被写体を撮影して画像情報を生成するとともに、前記画像情報を記録媒体に記録するに際して、
前記記録媒体に前記画像情報が記録された後に、次の画像情報を記録するのに十分な空き容量が前記記録媒体にあるか否かを判定し、十分な空き容量がなければ、前記記録媒体の空き容量が不足していることを所定の音情報により報知することをコンピュータに実行させることを特徴とするコンピュータプログラム。
【請求項１３】
前記所定の音情報は、前記記録媒体の空き容量が不足していることを認識させる音情報であることを特徴とする請求項１２に記載のコンピュータプログラム。
【請求項１４】
前記所定の音情報は、銀塩カメラのフィルムを巻き戻すときの音を連想させる擬似フィルム巻き戻し音であることを特徴とする請求項１２に記載のコンピュータプログラム。
【請求項１５】
前記所定の音情報は、終了を連想させる音楽であることを特徴とする請求項１２に記載のコンピュータプログラム。
【請求項１６】
前記請求項１１〜１５の何れか１項に記載のコンピュータプログラムを記録したことを特徴とするコンピュータ読み取り可能な記録媒体。
【発明の詳細な説明】
【０００１】
【発明の属する技術分野】
本発明は、撮影装置、撮影方法、コンピュータプログラム、及びコンピュータ読み取り可能な記録媒体に関し、特に、記録媒体の空き容量が画像情報を記録するのに必要な容量よりも少なくなったことを撮影者に報知するために用いて好適なものである。
【０００２】
【従来の技術】
従来から、フラッシュメモリなどの記録媒体に画像情報を記録する電子カメラがある。そして、このような電子カメラには、前記記録媒体に画像情報を記録すると、前記記録媒体の空き容量を検知し、次の画像情報を記録するのに十分な空き容量がない場合には、液晶ディスプレイなどの表示手段により、次の撮影を行うことができない旨のメッセージを文字で伝える機能がある。
【０００３】
そのため、前記表示手段を見ながら被写体を撮影する撮影者にとっては、次の撮影を行う前に、次の撮影が不可能であることを知ることができ、シャッタチャンスを逃す可能性が低くなる。
【０００４】
また、前記記録媒体に画像情報を記録するに十分な空き容量がないのにもかかわらずシャッタを押した場合は、それをビープ音と呼ばれるピーという音情報で報知する機能を有した電子カメラもある。
【０００５】
【発明が解決しようとする課題】
しかしながら、前記従来の技術においては、次のような欠点がある。
前述のメッセージを表示する表示手段で画像を見ながら被写体を撮影する場合、撮影者は、前記記録媒体の容量不足を撮影直後に認識できるが、撮影者は、常に、前記表示手段を見ながら撮影するわけではない。
【０００６】
例えば、電子カメラの本体に設けられたファインダを用いて被写体を撮影することもある。また、人ごみの中で、離れた被写体を撮影するときなどには、電子カメラを頭上に上げて、おおよその見当で被写体を撮影することもある。
【０００７】
このように、撮影者は、必ずしも前記表示手段を見ながら被写体を撮影するわけではなく、その場合には、前記記録媒体の空き容量が不足していることを報知するメッセージが前記表示手段に表示されても、撮影者はこれを認識することができない。
【０００８】
そして、前記記録媒体の空き容量が不足していることを撮影者が認識できないまま時間が経過し、次の撮影時にシャッタを押すと、被写体を撮影することが不可能であることを知らせる報知音が鳴る。このとき、複数の報知内容をピーという単一の報知音で報知するカメラの場合、前記ピーという音情報だけでは、前記記録媒体の空き容量が不足していることを瞬時に確信を持って認識することは困難であり、前記表示手段のメッセージを見なければ、これを確信することはできない。
【０００９】
結局、撮影者は、前記ピーという音情報が鳴った後で前記表示手段のメッセージを見て、前記記録媒体の空き容量が不足していることを認識せざるを得なかった。
【００１０】
このように、前述した従来の技術では、次の撮影を行うためにシャッタを押した場合に初めて音情報を鳴らすようにしていたので、前記記録媒体の空き容量が不足している状態でシャッタを押してしまう虞があり、せっかくのシャッタチャンスを逃がしてしまうという取り返しのつかない事態になるという問題点があった。
【００１１】
本発明は前述の問題点にかんがみ、被写体の画像情報を記録する記録媒体の空き容量が不足している状態で次の撮影を行うためのシャッタを撮影者が押してしまうことを可及的に防止し、撮影者が貴重なシャッタチャンスを逃してしまうことを低減できるようにすることを目的とする。
【００１２】
【課題を解決するための手段】
本発明の撮影装置は、撮影者によって指定された撮影条件に従って被写体を撮影して画像情報を生成するとともに、前記画像情報を記録媒体に記録することが可能な撮影装置であって、前記画像情報を記録するのに必要な空き容量が前記記録媒体にない場合には、前記撮影が終了したときに、所定の音情報を出力するようにしたことを特徴としている。
また、本発明の他の特徴とするところは、撮影者によって指定された撮影条件に従って被写体を撮影して画像情報を生成するとともに、前記画像情報を記録媒体に記録することが可能な撮影装置であって、前記記録媒体に前記画像情報を記録する動作が終了した後に、次の画像情報を記録するのに十分な空き容量が前記記録媒体にあるか否か判定する記録媒体空き容量判定手段と、前記記録媒体空き容量判定手段により、次の画像情報を記録するのに十分な空き容量が前記記録媒体にないと判定された場合には、前記記録媒体の空き容量が不足していることを所定の音情報により報知する音情報報知手段とを有することを特徴としている。
【００１３】
本発明の撮影方法は、撮影者によって指定された撮影条件に従って被写体を撮影して画像情報を生成するとともに、前記画像情報を記録媒体に記録することが可能な撮影装置により被写体を撮影する撮影方法であって、前記画像情報を記録するのに必要な空き容量が前記記録媒体にない場合には、前記撮影が終了したときに、所定の音情報を出力するようにしたことを特徴としている。
また、本発明の他の特徴とするところは、撮影者によって指定された撮影条件に従って被写体を撮影して画像情報を生成するとともに、前記画像情報を記録媒体に記録することが可能な撮影装置により被写体を撮影する撮影方法であって、前記記録媒体に前記画像情報が記録された後に、次の画像情報を記録するのに十分な空き容量が前記記録媒体にあるか否かを判定し、十分な空き容量がなければ、前記記録媒体の空き容量が不足していることを所定の音情報により報知することを特徴としている。
【００１４】
本発明のコンピュータプログラムは、撮影者によって指定された撮影条件に従って被写体を撮影して画像情報を生成するとともに、前記画像情報を記録媒体に記録するに際して、前記画像情報を記録するのに必要な空き容量が前記記録媒体にない場合には、前記撮影が終了したときに、所定の音情報を出力することをコンピュータに実行させることを特徴としている。
また、本発明の他の特徴とするところは、撮影者によって指定された撮影条件に従って被写体を撮影して画像情報を生成するとともに、前記画像情報を記録媒体に記録するに際して、前記記録媒体に前記画像情報が記録された後に、次の画像情報を記録するのに十分な空き容量が前記記録媒体にあるか否かを判定し、十分な空き容量がなければ、前記記録媒体の空き容量が不足していることを所定の音情報により報知することをコンピュータに実行させることを特徴としている。
【００１５】
本発明のコンピュータ読み取り可能な記録媒体は、前記何れかに記載のコンピュータプログラムを記録したことを特徴としている。
【００１６】
本発明は前記技術的手段を有するので、被写体の画像情報を記録する記録媒体の容量が不足していることが発生した段階で、そのことを撮影者に音情報で伝えるようにしたので、液晶ディスプレイなどの表示手段を見ないで撮影しても、前記記録媒体の空き容量が不足していることを撮影終了時に撮影者に認識させるようにすることが可能になり、前記記録媒体の空き容量が不足していることを撮影者が認識できない状態で次の撮影を行ってしまうことを可及的に防止することが可能になる。
【００１７】
また、本発明の他の特徴によれば、前記記録媒体の空き容量が不足していることを認識させる音情報を撮影者に伝えるようにしたので、前記記録媒体の空き容量が不足していることを、撮影終了時に撮影者に確信させることが可能になる。
【００１８】
また、本発明の他の特徴によれば、記録媒体の空き容量が不足していることを撮影終了時に検出した場合には、一般的な銀塩カメラに設けられているフィルム巻き戻し機構が発生するフィルム巻き戻し音を連想させる擬似フィルム巻き戻し音を鳴らすようにしたので、一般的な銀塩カメラにおいて撮影可能なフィルムの空き枚数がなくなった場合と同様にして、前記記録媒体の空き容量が不足していることを撮影者に認識させることが可能になる。
【００１９】
また、本発明のその他の特徴によれば、記録媒体の空き容量が不足していることを、終了を連想させる音楽により報知するようにしたので、前記記録媒体の空き容量が不足していることを撮影終了時に撮影者に確信させることが可能になるとともに、撮影者や被撮影者に楽しさや愉快さを与えることが可能になる。
【００２０】
【発明の実施の形態】
以下、本発明の撮影装置、撮影方法、コンピュータプログラム、及びコンピュータ読み取り可能な記録媒体の実施の形態について、添付の図面を参照しながら詳細に説明する。
【００２１】
図１は、本実施の形態のデジタルカメラ（撮影装置）の構成例を示すブロック図である。
図１において、ＣＰＵ１は、デジタルカメラ全体の動作を制御する。撮影レンズ系２は、フォーカス動作やズーム動作を行い、光を透過させる。シャッタ３は、撮影するタイミングをＣＰＵ１に伝える。
【００２２】
撮影レンズ系２より取り込まれた光は、絞りなどの露光量を制御する露光制御手段４で露光量が制御され、ＣＣＤ５に２次元光学像として結像される。
ＣＣＤ５は、前記２次元光学像を電気画像信号に光電変換し、Ａ／Ｄコンバータ６は、前記電気画像信号をデジタル画像データに変換する。そして、前記デジタル画像データは、画像データ用ＲＡＭ７に一時的に蓄積された後、記録媒体として配設されるコンパクトフラッシュ（Ｒ）８に記録される。
【００２３】
画像表示用ＬＣＤ９は、撮影時に画像を表示したり、デジタルカメラ全般の動作状態を報知したりするなどの各種メッセージなどを表示する。
制御用フラッシュＲＯＭ１０は、各種の制御用のデータを格納する記録媒体として設けられているＲＯＭである。
【００２４】
音源ＬＳＩ１１は、ＡＤＰＣＭ音源、ＦＭ音源、ハードウエアシーケンサ、音質補正用イコライザ、Ｄ／Ａコンバータ、及びスピーカアンプなどを内蔵している。
【００２５】
前記ＡＤＰＣＭ音源には、擬似シャッタ音や擬似フィルム巻き戻し音などのデジタルオーディオデータが格納されている。
また、マルチメディアコンテンツ用フラッシュＲＯＭ１２には、音楽、画像、及びテキストなどを時間軸上で同期させるためのマルチメディアコンテンツデータが格納されている。なお、前記マルチメディアコンテンツデータは、例えばＳＭＡＦデータなどにより構成される。また、音源ＬＳＩ１１は、スピーカ１３とも接続されている。
【００２６】
スイッチ群１４は、電源のオン、オフや、デジタルカメラの各種設定及び操作を行うためのスイッチ群である。
次に、図２のフローチャートを参照しながら本実施の形態のデジタルカメラの撮影時に行われる動作について説明する。
【００２７】
まず、撮影者が、スイッチ群１４を用いて撮影モードを選択すると、デジタルカメラに電源が入る（ステップＳ１）。電源が入るとＣＰＵ１が初期化動作を行い（ステップＳ２）、デジタルカメラは撮影可能な状態になる。
【００２８】
次に、撮影レンズ系２より取り込まれた光は、絞りなどの露光量を制御する露光制御手段４で露光量が制御され、露光量が制御された光は、ＣＣＤ５に２次元光学像として結像される（ステップＳ３）。
【００２９】
次に、ＣＣＤ５は、前記２次元光学像を電気画像信号に光電変換し（ステップＳ４）、Ａ／Ｄコンバータ６は、前記電気画像信号をデジタル画像データに変換する（ステップＳ５）。そして、前記デジタル画像データは、画像データ用ＲＡＭ７に一時的に蓄積され、画像表示用ＬＣＤ９にリアルタイムに画像を表示する（ステップＳ６）。
【００３０】
画像表示用ＬＣＤの画面下には、各種設定用のメニューが表示されており、撮影者は、スイッチ群１４を用いて、コンパクトフラッシュ（Ｒ）残量不足報知音を選択するためのモードに入ることが可能である。
【００３１】
コンパクトフラッシュ（Ｒ）残量不足報知音には、「トラディショナル」や「チャンチャン」など、幾つかの音が予め登録されており、撮影者は、スイッチ群１４で、それらの中から所望の音を選択することができる。
【００３２】
そして、撮影者が「トラディショナル」を選択すると（ステップＳ７）、制御用フラッシュＲＯＭ１０にその旨のデータを格納する（ステップＳ８）。なお、「トラディショナル」とは、銀塩カメラのフィルム巻き戻し音をデジタルオーディオデータとして録音した擬似フィルム巻き戻し音であり、例えば「ウィーン」という音である。
【００３３】
そして、撮影者が被写体を撮影するためにシャッタ３を押すと（ステップＳ９）、ＣＰＵ１がこれを認識し、音源ＬＳＩ１１に格納された擬似フィルム巻き戻し音をスピーカ１３から出力する（ステップＳ１０）。
【００３４】
一方、ＣＰＵ１は、画像用ＲＡＭ７に蓄積されているデジタル画像データをコンパクトフラッシュ（Ｒ）８に記録するよう指示する（ステップＳ１１）。これにより、前記デジタル画像データは、コンパクトフラッシュ（Ｒ）８に記録される。
【００３５】
コンパクトフラッシュ（Ｒ）８への前記デジタル画像データの記録が終了すると、ＣＰＵ１は、コンパクトフラッシュ（Ｒ）８の空き容量を確認する（ステップＳ１２）。このときの空き容量が、予め決められた値よりも大きい場合は、ＣＰＵ１は、撮影可能状態に戻る。
【００３６】
しかし、このときの空き容量が、予め決められた値以下である場合は、ＣＰＵ１は、コンパクトフラッシュ（Ｒ）残量不足報知音を出力するための信号を音源ＬＳＩ１１に送る（ステップＳ１３）。
【００３７】
このときの動作を具体的に説明すると、ＣＰＵ１は、コンパクトフラッシュ（Ｒ）残量不足報知音として設定された「トラディショナル」に相当する波形データを再生するように、音源ＬＳＩ１１に指示する。そして、音源ＬＳＩ１１の制御に従って、銀塩カメラのフィルム巻き戻し音をデジタルオーディオデータとして録音した「ウィーン」という擬似フィルム巻き戻し音をスピーカ１３から出力する。
【００３８】
そして、ＣＰＵ１は、シャッタ２が押されても、画像用ＲＡＭ７に蓄積されたデジタル画像データをコンパクトフラッシュ（Ｒ）８に書き込むことを禁止し、画像表示用ＬＣＤ９に、コンパクトフラッシュ（Ｒ）８の空き容量が不足していることを伝えるメッセージを表示する（ステップＳ１４）。
【００３９】
そして、ＣＰＵ１は、前記空き容量が不足しているコンパクトフラッシュ（Ｒ）８が、前記デジタル画像データを記録するのに十分な空き容量を有するコンパクトフラッシュ（Ｒ）８に取り替えられたことを検出するなどして、コンパクトフラッシュ（Ｒ）８の空き容量が不足していることが解消されたことを検出するまで待機する（ステップＳ１５）。
【００４０】
そして、コンパクトフラッシュ（Ｒ）８の空き容量が不足していることが解消されたことが検出されると、ＣＰＵ１は、前記コンパクトフラッシュ（Ｒ）残量不足報知音の出力を停止させるとともに、前記コンパクトフラッシュ（Ｒ）８の空き容量が不足していることを伝えるメッセージの表示を終了させる（ステップＳ１６）。
【００４１】
なお、本実施の形態では、コンパクトフラッシュ（Ｒ）８の空き容量が不足していることが解消されたことを検出してから、前記コンパクトフラッシュ（Ｒ）残量不足報知音の出力を停止するとともに、前記コンパクトフラッシュ（Ｒ）８の空き容量が不足していることを伝えるメッセージの表示を終了するようにしたが、例えば、前記コンパクトフラッシュ（Ｒ）残量不足報知音を出力してから一定時間が経過したときに、これらの処理を終了（停止）するようにしてもよい。
【００４２】
以上のような動作が撮影時に行われることにより、撮影者は、コンパクトフラッシュ（Ｒ）８の空き容量が不足していることを撮影終了時に瞬時に認識することが可能になる。これにより、コンパクトフラッシュ（Ｒ）８の空き容量が不足していることを撮影者が認識できない状態で次の撮影を行ってしまうことを可及的に防止することができ、シャッタチャンスを逃す不都合を低減することができる。
【００４３】
なお、前記「ウィーン」という音の代わりに、一般的に終了を連想させる音を使用しても良い。例えば、「チャンチャン！」や「蛍の光」などのメロディである。このように、終了を連想させる音を出力してコンパクトフラッシュ（Ｒ）８の空き容量が不足していることを報知するようにすれば、撮影者や披撮影者に楽しさや愉快さを与えることができて好ましい。
【００４４】
以上説明したように本実施の形態では、被写体を撮影して生成したデジタル画像データをコンパクトフラッシュ（Ｒ）８に記憶した後、コンパクトフラッシュ（Ｒ）８の空き容量が予め決められた値以下であると判定された場合に、コンパクトフラッシュ（Ｒ）残量不足報知音を鳴らすようにしたので、撮影者は、コンパクトフラッシュ（Ｒ）８の空き容量が無くなった時点で、そのことを認識することができる。したがって、次のシャッタチャンスを逃してしまう頻度を可及的に低減することができる。
【００４５】
また、前記コンパクトフラッシュ（Ｒ）残量不足報知音として、銀塩カメラのフィルム巻き戻し音をデジタルオーディオデータとして録音した擬似フィルム巻戻し音を鳴らすようにしたので、被写体を撮影するための記録媒体の容量が不足していることを、銀塩カメラと同様の手法により、撮影者に報知することができる。したがって、デジタルカメラの使用に不慣れな撮影者に対しても、コンパクトフラッシュ（Ｒ）８の空き容量が不足していることを瞬時に且つ確実に認識させることができる。
【００４６】
なお、本実施の形態では、コンパクトフラッシュ（Ｒ）８の空き容量が予め決められた値以下であると判定された場合に、前記擬似フィルム巻戻し音や、前記終了を連想させる音を出力することによりコンパクトフラッシュ（Ｒ）８の空き容量が不足していることを報知するようにしたが、例えば「コンパクトフラッシュ（Ｒ）の空き容量が不足しています」という音声ガイドをアナウンスするようにしてもよい。
【００４７】
また、前記において、次のシャッタチャンスを逃す頻度を可及的に低減することができると記述したのは、撮影者が油断していたなどの人為的理由でシャッタチャンスを逃してしまうことに対してまでは、本実施の形態の前述した効果を得ることができないからである。
【００４８】
（本発明の他の実施形態）
前述した実施形態の機能を実現するべく各種のデバイスを動作させるように、該各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００４９】
また、この場合、上記ソフトウェアのプログラムコード自体が前述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５０】
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等と共同して前述の実施形態の機能が実現される場合にもかかるプログラムコードは本発明の実施形態に含まれることは言うまでもない。
【００５１】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施形態の機能が実現される場合にも本発明に含まれることは言うまでもない。
【００５２】
【発明の効果】
以上説明したように、本発明によれば、被写体を撮影して生成した画像情報を記録媒体に記録するに際して、前記画像情報を記録するのに必要な空き容量が前記記録媒体にない場合には、前記撮影が終了したときに、所定の音情報を出力するようにしたので、前記記録媒体の空き容量がなくなった時点でそのことを撮影者に認識させることができる。したがって、前記画像情報を記録する記録媒体の空き容量が不足している状態で次の撮影を行うためのシャッタを押してしまうことを可及的に防止することができ、撮影者が次のシャッタチャンスを逃してしまう頻度を低減することができる。
【図面の簡単な説明】
【図１】本発明の実施の形態を示し、デジタルカメラの構成の一例を示すブロック図である。
【図２】本発明の実施の形態を示し、デジタルカメラの動作の一例を説明するフローチャートである。
【符号の説明】
１　ＣＰＵ
３　シャッタ
８　コンパクトフラッシュ（Ｒ）
１１　音源ＬＳＩ
１３　スピーカ
【図１】
2004056657.tif 000003
【図２】
2004056657.tif 000004